(57)【要約】【課題】蓋を閉じた状態にロックするロック機構と、雨水に混じった異物を回収する充分な大きさの容器とを備えた雨水ますを提供する。【解決手段】雨水ます１は、ます本体２と、立管３と、立管３に取り付けられた枠８と、枠８に着脱自在に嵌め込まれた蓋９と、バケット２０と、蓋９を閉じた状態にロックするロック部材１０とを備えている。枠８の下側筒状部８ｂの内周面には、ロック部材１０のフック部１２と係合する凸部は形成されていない。ロック部材１０は、フック部１２が下側筒状部８ｂの下端面と係合するロック位置と、フック部１２が下側筒状部８ｂの下端面と係合しないロック解除位置との間で回転可能に構成されている。【選択図】図１
2012087566.tif 000002
【特許請求の範囲】
【請求項１】
略有底筒状のます本体と、
前記ます本体の上部に接続された立管と、
前記立管の上端面上に載置される上側筒状部と、前記上側筒状部の下部から半径方向の内向きに延びる段差部と、前記段差部から下方に延びる下側筒状部とを有し、前記下側筒状部が前記立管の内側に差し込まれることによって前記立管に取り付けられた枠と、
貫通孔が形成され、その外周縁部が前記段差部上に載置されるように前記枠に着脱自在に嵌め込まれた蓋と、
前記枠および前記立管を通じて前記ます本体の内部に装着される容器と、
前記蓋の貫通孔に回転自在に挿入された軸部と、前記軸部から横方向に延び且つ前記下側筒状部の下端面よりも下方に位置するフック部と、を有するロック部材と、
を備え、
前記下側筒状部の内周面には前記フック部と係合する凸部は形成されておらず、
前記ロック部材は、前記フック部が前記下側筒状部の下端面と係合するロック位置と、前記フック部が前記下側筒状部の下端面と係合しないロック解除位置との間で回転可能に構成されている、雨水ます。
【請求項２】
前記立管および前記枠は樹脂材料からなり、互いに接着されている、請求項１に記載の雨水ます。
【請求項３】
前記蓋は樹脂材料からなり、
前記枠の前記下側筒状部の縦方向の長さは、前記上側筒状部の縦方向の長さの２倍以上である、請求項１または２に記載の雨水ます。
【請求項４】
前記ます本体には、雨水を流入させる流入管と、雨水を流出させる流出管とが接続され、
前記容器は、有底筒状の容器本体と、前記容器本体に設けられた把手とを有し、
前記容器は、前記容器の上端部が前記流入管および前記流出管の管底部よりも低くなるように配置され、
前記把手は、前記把手の上端部が前記ロック部材の下端部よりも低くなるような寸法に形成されている、請求項１〜３のいずれか一つに記載の雨水ます。
【請求項５】
前記ロック部材の前記軸部と前記フック部とは別体に形成され、互いに組み立てられている、請求項１〜４のいずれか一つに記載の雨水ます。
【発明の詳細な説明】
【技術分野】
【０００１】
本発明は、雨水ますに関する。
【背景技術】
【０００２】
通常、地中に埋設されるますは、ます本体の内部の点検や清掃等のために、地表にて開口する立管を有している。立管の開口部には開閉自在な蓋が取り付けられる。蓋は、通常時には閉じられ、ます本体の点検等の際に取り外される。従来から、蓋を閉じた状態にロックするロック機構が知られている。
【０００３】
特許文献１には、公共用ますの立管に嵌め込まれた蓋をロックするロック機構が開示されている。図８に示すように、このロック機構は、蓋体１０１に回転自在に挿入された鍵部材１０２を備えている。立管の上部には枠１０４が嵌め込まれており、枠１０４の内周面には内側に突出する係合部１０５が設けられている。鍵部材１０２の下側には、横方向に延びるフック１０３が形成されている。鍵部材１０２を回転させると、フック１０３は係合部１０５の下方に位置付けられる。これにより、フック１０３と係合部１０５とが係合し、蓋体１０１を枠１０４から上方に取り外すことができなくなって、蓋体１０１は閉じた状態にロックされる。一方、鍵部材１０２を逆回転させると、フック１０３と係合部１０５との係合が解かれ、蓋体１０１を枠１０４から取り外すことが可能となる。
【先行技術文献】
【特許文献】
【０００４】
【特許文献１】特許第３２９５８３７号公報
【発明の概要】
【発明が解決しようとする課題】
【０００５】
ところで、汚水管路と異なり、雨水管路に設けられるます、すなわち雨水ますの内部には、雨水と共に流れる異物（例えば、砂、枯葉等）を回収するために、いわゆるバケットやバスケット等と称される容器が設けられることが多い。容器に回収された異物は、雨水ますのメンテナンスの際に容器と共に地上に取り出され、外部に排出される。容器の回収可能量を多くしてメンテナンスの頻度を少なくする等の観点から、容器はできるだけ大きいことが好ましい。
【０００６】
ところが、雨水ますの立管の蓋に上記ロック機構を設けようとすると、容器の大きさが制限されてしまうという新たな課題が生じることとなる。すなわち、図９に示すように、例えば容器本体１１１と把手１１２とを有する容器１１０を雨水ます本体１０６に収容しようとすると、枠１０４および立管１０７を通じて容器１１０を上方から挿入しなければならない。しかし、ロック機構を設けるために枠１０４の内側に係合部１０５を形成することとすると、容器本体１１１および把手１１２の横幅を係合部１０５の内径よりも小さく抑える必要がある。そのため、容器１１０の大きさが制限されてしまう。
【０００７】
本発明はかかる点に鑑みてなされたものであり、その目的とするところは、蓋を閉じた状態にロックするロック機構と、雨水に混じった異物を回収する充分な大きさの容器とを備えた雨水ますを提供することにある。
【課題を解決するための手段】
【０００８】
本発明に係る雨水ますは、略有底筒状のます本体と、前記ます本体の上部に接続された立管と、前記立管の上端面上に載置される上側筒状部と、前記上側筒状部の下部から半径方向の内向きに延びる段差部と、前記段差部から下方に延びる下側筒状部とを有し、前記下側筒状部が前記立管の内側に差し込まれることによって前記立管に取り付けられた枠と、貫通孔が形成され、その外周縁部が前記段差部上に載置されるように前記枠に着脱自在に嵌め込まれた蓋と、前記枠および前記立管を通じて前記ます本体の内部に装着される容器と、前記蓋の貫通孔に回転自在に挿入された軸部と、前記軸部から横方向に延び且つ前記下側筒状部の下端面よりも下方に位置するフック部と、を有するロック部材と、を備える。前記下側筒状部の内周面には前記フック部と係合する凸部は形成されておらず、前記ロック部材は、前記フック部が前記下側筒状部の下端面と係合するロック位置と、前記フック部が前記下側筒状部の下端面と係合しないロック解除位置との間で回転可能に構成されている。
【０００９】
なお、本明細書において雨水ますとは、雨水を地中に浸透させないますと、雨水を地中に浸透させるます（いわゆる雨水浸透ます）との両方が含まれる。前記フック部は前記軸部から横方向に延びているが、ここでいう「横方向に延びている」とは、フック部の全部が横方向に延びている場合に限らず、フック部の一部が横方向に延びている場合も含まれる。また、「横方向」とは、水平方向に限らず、水平方向から傾いた方向であってもよい。
【００１０】
上記雨水ますによれば、ロック部材のフック部は、枠の下側筒状部の内周部に係合するのではなく、下側筒状部の下端面と係合する。下側筒状部の内周面には、ロック部材のフック部と係合する凸部は形成されていない。したがって、ロック部材により蓋を閉じた状態にロックすることが可能であると共に、容器の横幅を下側筒状部の内径と略同程度まで大きくすることができ、容器を充分に大きくすることが可能となる。
【００１１】
前記立管および前記枠は樹脂材料からなっていてもよい。この場合、前記立管および前記枠は、互いに接着されていることが好ましい。
【００１２】
例えば集中豪雨時などでは、雨水ますに大量の雨水が流れ込み、立管内に密封された空気の圧力または立管内において水位上昇した雨水によって、蓋に対して上向きの大きな力が加えられる場合がある。そのような場合、蓋を介して枠にも大きな力が加えられるので、蓋をロックしていても、枠自体が立管から外れてしまうおそれがある。しかし、立管と枠とを接着することとすれば、蓋に対して上向きの大きな力が加えられたとしても、蓋が枠と共に立管から外れることを防止することができる。
【００１３】
前記蓋は樹脂材料からなっていてもよい。この場合、前記枠の前記下側筒状部の縦方向の長さは、前記上側筒状部の縦方向の長さの２倍以上であることが好ましい。
【００１４】
雨水ますと異なりマンホールでは、枠はコンクリート製であり、蓋は鉄製であるため、枠および蓋の重量は大きい。これに対し、枠および蓋が樹脂製であると、枠および蓋の重量は小さいため、上向きの大きな力が加わった場合に枠および蓋は外れやすくなる。しかし、上述のように下側筒状部の縦方向の長さが長ければ、枠の固定は強固になり、また、接着する場合には接着代が大きくなり、接着強度が大きくなる。そのため、蓋に対して上向きの大きな力が加えられたときに、蓋が枠と共に立管から外れることをより確実に防止することができる。
【００１５】
前記ます本体には、雨水を流入させる流入管と、雨水を流出させる流出管とが接続され、前記容器は、有底筒状の容器本体と、前記容器本体に設けられた把手とを有し、前記容器は、前記容器の上端部が前記流入管および前記流出管の管底部よりも低くなるように配置され、前記把手は、前記把手の上端部が前記ロック部材の下端部よりも低くなるような寸法に形成されていることが好ましい。
【００１６】
これにより、容器は流入管および流出管の管底部よりも低い位置に配置されているので、雨水に含まれる異物を良好に回収することができる。前述したように枠の下側筒状部の縦方向の長さが長い場合、ロック部材の縦方向の長さは長くなる。そのため、把手の縦方向の長さが長いと、蓋を閉じる際にロック部材と把手とが干渉し、蓋を閉じる作業を円滑に行えなくなるおそれがある。ところが、上記雨水ますによれば、把手はその上端部がロック部材の下端部よりも低くなるような寸法に形成されている。したがって、枠の下側筒状部の縦方向の長さが短い場合は勿論、その長さが長い場合であっても、蓋を閉じる際にロック部材と把手とが干渉しないため、蓋を閉じる作業を円滑に行うことができる。
【００１７】
前記ロック部材の前記軸部と前記フック部とは別体に形成され、互いに組み立てられていてもよい。
【００１８】
このことにより、ロック部材を蓋に容易に取り付けることができる。枠の下側筒状部の縦方向の長さが長い場合、ロック部材の縦方向の長さも長くなる。そのため、ロック部材を蓋の貫通孔に嵌め込む作業は難しくなる。しかし、上述のようにロック部材が組み立て式であれば、軸部を蓋の貫通孔に上方から挿入した後、フック部を軸部の下側に下方または横方向から組み付けることにより、長いロック部材であっても蓋に容易に取り付けることができる。
【発明の効果】
【００１９】
本発明によれば、蓋を閉じた状態にロックするロック機構と、雨水に混じった異物を回収する充分な大きさの容器とを備えた雨水ますを提供することができる。
【図面の簡単な説明】
【００２０】
【図１】実施形態に係る雨水ますの断面図である。
【図２】雨水ますのロック部材の近傍を拡大して示す断面図である。
【図３】蓋および枠の模式的な断面図である。
【図４】蓋、枠およびロック部材の平面図である。
【図５】蓋、枠およびロック部材の側面図である。
【図６】蓋、枠およびロック部材の裏面図である。
【図７】他の実施形態に係る雨水ますのロック部材の近傍を拡大して示す断面図である。
【図８】従来の公共用ますのロック部材の近傍を拡大して示す断面図である。
【図９】従来のロック部材を雨水ますに適用した仮想例を示す断面図である。
【発明を実施するための形態】
【００２１】
図１に示すように、本発明の一実施形態に係る雨水ます１は、ます本体２と、ます本体２の上側に接続された立管３と、立管３の上側に嵌め込まれた枠８と、枠８に嵌め込まれた蓋９とを備えている。ます本体２は、有底円筒状の泥溜め部４と、泥溜め部４の上部に接続された胴部５とを有している。泥溜め部４および胴部５は、塩化ビニル等の樹脂材料からなっており、互いに接着されている。胴部５には、流入側の受口５ａと、流出側の受口５ｂとが形成されている。受口５ａには流入管６が接続されている。受口５ｂには流出管７が接続されている。なお、本実施形態では受口５ａおよび受口５ｂはそれぞれ１つであるが、受口５ａおよび受口５ｂの個数は特に限定される訳ではない。
【００２２】
胴部５の上側には受口５ｃが形成され、立管３の下部は胴部５の受口５ｃに差し込まれている。立管３は、内径および外径が一定の円管によって構成されている。立管３は塩化ビニル等の樹脂材料からなっており、胴部５の受口５ｃに接着されている。
【００２３】
立管３の上側には、枠８が嵌め込まれている。枠８は、上側筒状部８ａと、上側筒状部８ａの下部から半径方向の内向きに延びる段差部８ｄと、段差部８ｄから下方に延びる下側筒状部８ｂとを有している。下側筒状部８ｂの外径は上側筒状部８ａの外径よりも小さく、下側筒状部８ｂの内径は上側筒状部８ａの内径よりも小さくなっている。
【００２４】
図２に示すように、下側筒状部８ｂの縦方向の長さＬ２は、上側筒状部８ａの縦方向の長さＬ１よりも大きい。本実施形態では、Ｌ２はＬ１の２倍以上である。なお、Ｌ１およびＬ２の具体的数値は適宜設定することができる。図３に示すように、枠８の上側筒状部８ａの外径をＤ１、蓋９の外径をＤ２、下側筒状部８ｂの外径をＤ３としたときに、例えば、いわゆるます径が１５０ｍｍの場合、Ｄ１＝１６３ｍｍ、Ｄ２＝１４６ｍｍ、Ｄ３＝１５５ｍｍ、Ｌ１＝１５ｍｍ、Ｌ２＝３５ｍｍ以上とすることができる。ます径が２００ｍｍの場合、Ｄ１＝２１２ｍｍ、Ｄ２＝１９４ｍｍ、Ｄ３＝２０３ｍｍ、Ｌ１＝１８ｍｍ、Ｌ２＝５０ｍｍ以上とすることができる。ます径が３００ｍｍの場合、Ｄ１＝３１３ｍｍ、Ｄ２＝２９４ｍｍ、Ｄ３＝２９０ｍｍ、Ｌ１＝３８ｍｍ、Ｌ２＝１００ｍｍ以上とすることができる。ます径が３５０ｍｍの場合、Ｄ１＝３６３ｍｍ、Ｄ２＝３４５ｍｍ、Ｄ３＝３４０ｍｍ、Ｌ１＝３８ｍｍ、Ｌ２＝１００ｍｍ以上とすることができる。
【００２５】
図２に示すように、枠８の外側には段差８ｃが形成されている。この段差８ｃには、立管３の上端面３ａが当接している。上側筒状部８ａは、立管３の上端面３ａ上に載置されている。下側筒状部８ｂは、立管３の内側に差し込まれている。枠８は塩化ビニル等の樹脂材料からなっている。枠８は立管３に接着されている。
【００２６】
図４に示すように、蓋９は略円板状に形成されている。蓋９の中心から外れた位置には、貫通孔９ａが形成されている。本実施形態では、合計２つの貫通孔９ａが形成されている。ただし、貫通孔９ａの数は２つに限定されない。蓋９の外径は、枠８の上側筒状部８ａの内径とほぼ等しい。蓋９の外周部には、蓋９を開くときにバール等が差し込まれるスリット９ｂが形成されている。図２に示すように、蓋９の外周面は、下方に行くほど中心に近づくように傾斜している。蓋９の外周縁部９ｆは、枠８の段差部８ｄ上に載置される。蓋９の外周面には凹部９ｃが形成されており、凹部９ｃにはシール材としてゴムリング１３が嵌め込まれている。ゴムリング１３は、蓋９と枠８との間の隙間を封止している。蓋９は塩化ビニル等の樹脂材料からなっている。
【００２７】
蓋９の貫通孔９ａには、ロック部材１０が挿入されている。図２に示すように、ロック部材１０は、軸部１１とフック部１２とからなっている。軸部１１とフック部１２とは別体に形成され、互いに組み立てられている。
【００２８】
軸部１１は、円板状の頭部１１ａと、頭部１１ａの下方に位置する柱状部１１ｂと、柱状部１１ｂの下方に位置する摺接部１１ｃと、摺接部１１ｃの下方に位置する垂直部１１ｄと、垂直部１１ｄの下部から上方に向かって広がる係止片１１ｅとを有している。柱状部１１ｂには、放射状に広がるリブ１１ｆが設けられている。摺接部１１ｃは、軸部１１を回転させる際に貫通孔９ａの内周面と摺接する部分である。両摺接部１１ｃの間には凹部１１ｇが形成され、この凹部１１ｇにはゴムリング１１ｈが嵌め込まれている。ゴムリング１１ｈは、貫通孔９ａの内周面と軸部１１との間の隙間を封止するシール部材である。本実施形態では、垂直部１１ｄは中空状に形成されている。しかし、垂直部１１ｄの形状は何ら限定されず、中実状に形成されていてもよい。係止片１１ｅの上側には、段差１１ｉが設けられている。軸部１１は塩化ビニル等の樹脂材料によって一体成型されており、係止片１１ｅには開く方向の弾性力が常に生じている。軸部１１は上方から貫通孔９ａに挿入される。係止片１１ｅは、貫通孔９ａを通過するときには貫通孔９ａの内周面と摺接し、折り畳まれる。係止片１１ｅが貫通孔９ａの下方に至ると、係止片１１ｅは上記弾性力によって展開される。これにより、係止片１１ｅの段差１１ｉと貫通孔９ａの縁部の下面９ｄとが係合し、軸部１１の貫通孔９ａからの抜けが防止される。
【００２９】
フック部１２は、Ｌ字状に湾曲した管状体１２ａと、係合体１２ｂとからなっている。フック部１２は、軸部１１から横方向に延びている。なお、「軸部１１から横方向に延びている」とは、フック部１２の全体が横方向に延びている場合に限らず、本実施形態のようにフック部１２の一部が縦方向に延び、他の一部が横方向に延びている場合も含まれる。また、横方向とは、水平方向に限らず、水平方向から傾いた方向であってもよい。
【００３０】
管状体１２ａおよび係合体１２ｂは、塩化ビニル等の樹脂材料からなっている。管状体１２ａの上側には、垂直部１１ｄが差し込まれている。管状体１２ａと垂直部１１ｄとは、接着されている。管状体１２ａの下部は横方向に延びている。係合体１２ｂは管状に形成されており、管状体１２ａに差し込まれている。管状体１２ａと係合体１２ｂとは、接着されている。本実施形態では、管状体１２ａと係合体１２ｂとは別体に形成され、互いに組み立てられているが、管状体１２ａと係合体１２ｂとは一体成型されていてもよい。管状体１２ａおよび係合体１２ｂは、係合体１２ｂが枠８の下側筒状部８ｂの下端面８ｅと係合可能な長さに形成されている。言い換えると、管状体１２ａおよび係合体１２ｂは、係合体１２ｂの先端部１２ｃが下側筒状部８ｂの下端面８ｅの下方に位置するような長さに形成されている（図５および図６も参照）。図２に示すように、下側筒状部８ｂの下端面８ｅと係合体１２ｂの先端部１２ｃとの間に若干の隙間が設けられてもよいが、それらは接触していてもよい。
【００３１】
図４に示すように、ロック部材１０の頭部１１ａの上側には、係合体１２ｂの向きを示す目印１１ｊが設けられている。目印１１ｊの内側には、スリット１１ｋが形成されている。ドライバー等の工具をスリット１１ｋに挿入して回転させると、ロック部材１０を回転させることができる。
【００３２】
図１に示すように、雨水ます１の内部には、バケット２０が設けられている。バケット２０は、雨水と共に雨水ます１の内部に流れ込んでくる砂、石、枯葉等の異物を回収する容器の一例である。バケット２０は、有底円筒状のバケット本体２１と、バケット本体２１に取り付けられた把手２２とを有している。
【００３３】
バケット２０の横幅の最大値は、枠８の下側筒状部８ｂの内径と略同一であり、厳密には、下側筒状部８ｂの内径よりも若干小さくなっている。本実施形態では、把手２２の横幅の方がバケット本体２１の横幅（言い換えると、バケット本体２１の外径）よりも大きくなっており、把手２２の横幅は枠８の下側筒状部８ｂの内径と略同一である。ただし、バケット本体２１の横幅の方が把手２２の横幅よりも大きく、バケット本体２１の横幅が下側筒状部８ｂの内径と略同一であってもよい。
【００３４】
バケット本体２１の上端部２１ａの位置は、流入管６の管底部６ａおよび流出管７の管底部７ａの位置よりも低くなっている。把手２２の上端部２２ａの位置は、ロック部材１０の下端部１０ｂの位置よりも低くなっている。
【００３５】
なお、バケット本体２１の出し入れが可能である限り、把手２２は必ずしも必要ではない。バケット２０は、バケット本体２１のみによって構成されていてもよい。
【００３６】
バケット２０には異物が溜まるので、雨水ます１では、定期的にバケット２０内の異物を外部に排出するメンテナンス作業が必要となる。メンテナンス作業の際には、作業者は、ドライバー等の工具をスリット１１ｋに挿入して回転させ、ロック部材１０の係合体１２ｂの先端部１２ｃが下側筒状部８ｂの下端面８ｅの下方の位置からずれるように、ロック部材１０を回転させる。これにより、ロック部材１０はロック解除位置に位置付けられる。次に、作業者は、蓋９のスリット９ｂ（図４参照）にバール等の工具を挿入し、てこの原理を利用して蓋９を上方に向かって取り外す。これにより、枠８の上側が開放される。そして、作業者は、把手２２を掴んで持ち上げ、立管３および枠８を通じてバケット２０を外部に取り出す。その後、バケット２０内に回収された異物を除去する。
【００３７】
異物が除去されて空になったバケット２０は、再び泥溜め部４に収容される。作業者は、把手２２を掴み、枠８および立管３を通じてバケット２０を持ち下げ、泥溜め部４に装着する。次に、作業者は、枠８の上側に蓋９を嵌め込む。その後、ドライバー等の工具をスリット１１ｋに挿入して回転させ、ロック部材１０の係合体１２ｂの先端部１２ｃが下側筒状部８ｂの下端面８ｅの下方に位置するように、ロック部材１０を回転させる。これにより、ロック部材１０はロック位置に位置付けられ、蓋９は閉じた状態にロックされる。
【００３８】
バケット２０を備える雨水ます１によれば、雨水に混じった異物はバケット２０に回収される。バケット２０に回収された異物は、バケット２０を外部に取り出すことにより、容易に排出することができる。したがって、バケット２０を備える雨水ます１によれば、内部に異物が滞留することによってます本来の機能が低下することを容易に回避することができる。
【００３９】
例えば集中豪雨時などでは、雨水ます１に大量の雨水が流れ込み、雨水ます１の内部に密封された空気の圧力または水位上昇した雨水によって、蓋９に対して上向きの大きな力が加えられる場合がある。しかし、本実施形態に係る雨水ます１によれば、ロック部材１０により蓋９を閉じた状態にロックすることができるので、蓋９に上向きの大きな力が加わったとしても、蓋９が外れてしまうことを防止することができる。
【００４０】
本実施形態に係る雨水ます１によれば、枠８の下側筒状部８ｂの内周面には、ロック部材１０のフック部１２と係合する凸部は形成されておらず、フック部１２は下側筒状部８ｂの下端面８ｅと係合するように構成されている。下側筒状部８ｂの内周面には、バケット２０の昇降を阻害するような凸部が設けられていないので、バケット２０の横幅を下側筒状部８ｂの内径と略同程度にまで大きくすることができる。したがって、雨水ます１によれば、ロック部材１０により蓋９を閉じた状態にロックすることが可能であると共に、大きなバケット２０を収容することが可能となる。
【００４１】
ところで、蓋９を枠８にロックしたとしても、蓋９に上向きの大きな力が加わった場合、蓋９と共に枠８が立管３から外れてしまうおそれがある。しかし、本実施形態によれば、立管３と枠８とは互いに接着されている。そのため、枠８は立管３に対し強固に固定される。したがって、蓋９が枠８と共に外れてしまうことをより確実に防止することができる。
【００４２】
雨水ますと異なりマンホールでは、枠はコンクリート製であり、蓋は鉄製であるため、枠および蓋の重量は大きい。しかし、本実施形態に係る雨水ます１では枠８および蓋９は樹脂製であり、それらの重量は小さい。そのため、マンホールに比べると、上向きの大きな力が加わった場合に枠８および蓋９は外れやすくなる。ところが、本実施形態では従来と比べて、枠８の下側筒状部８ｂの縦方向長さＬ２が長い。なお、上記長さＬ２は特に限定される訳ではないが、本実施形態では、上記長さＬ２は上側筒状部８ａの縦方向長さＬ１の２倍以上である。そのため、枠８と立管３との固定が強固になり、また、本実施形態のようにそれらを接着する場合には接着代が大きくなり、接着強度が大きくなる。したがって、蓋９が枠８と共に外れてしまうことをより確実に防止することができる。
【００４３】
バケット２０の把手２２の位置が高いほど、バケット２０を外に取り出す作業は容易となる。しかし、本実施形態では、蓋９に取り付けられたロック部材１０の縦方向長さが長いので、把手２２の位置が高いと、枠８に蓋９を嵌め込む際に、蓋９の向きによってはロック部材１０と把手２２とが干渉してしまうおそれがある。ところが、把手２２は、その上端部２２ａの位置がロック部材１０の下端部１０ｂの位置よりも低くなるような寸法に形成されている。したがって、蓋９を閉じる際にロック部材１０とバケット２０とが干渉するおそれがなく、蓋９を閉じる作業を円滑に行うことができる。
【００４４】
本実施形態では、ロック部材１０の軸部１１とフック部１２とは別体に形成され、互いに組み立てられている。しかし、軸部１１とフック部１２とは、必ずしも別体でなくてもよい。図７に示す実施形態は、軸部１１とフック部１２とが一体成型されたものである。このような実施形態であっても、前述の作用効果を得ることができる。
【００４５】
ただし、軸部１１とフック部１２とが別体に形成されていれば、ロック部材１０を蓋９に取り付ける作業が容易となる。すなわち、軸部１１を上方から蓋９の貫通孔９ａに挿入し、その後、蓋９の下方からフック部１２を軸部１１の下部に嵌め込むことによって、ロック部材１０を蓋９に取り付けることができる。本実施形態では、ロック部材１０は枠８の下側筒状部８ｂの下端面８ｅと係合するように形成され、下側筒状部８ｂの縦方向長さＬ２が長いので、ロック部材１０も長くなる。しかし、ロック部材１０の下部（すなわち、係合体１２ｂ）は横方向に延びているので、ロック部材１０の縦方向長さが長いと、貫通孔９ａに嵌め込む作業は難しくなる。ところが、軸部１１とフック部１２とを別体とし、軸部１１を貫通孔９ａに挿入した後にフック部１２を軸部１１に取り付けることとすれば、縦方向に長いロック部材１０であっても、比較的容易に取り付けることができる。
【００４６】
上記実施形態では、雨水に混じった異物を回収する容器は、側部および底部に孔の空いていない容器であった。しかし、上記容器は、側部または底部に孔が形成された容器、すなわちバスケットであってもよい。
【００４７】
上記実施形態に係る雨水ます１は、雨水を地中に浸透させないものであった。しかし、本発明に係る雨水ますは、雨水を地中に浸透させるものであってもよい。雨水ますは、例えば泥溜め部４に複数の小孔が形成されたものであってもよい。
【００４８】
前述したように、枠８の下側筒状部８ｂの内周面には、ロック部材１０のフック部１２と係合する凸部は形成されていない。ただし、フック部１２と係合しない程度の微小なものであれば、下側筒状部８ｂの内周面に凸部が設けられていてもよい。例えば、枠８の成型上の理由から、下側筒状部８ｂの内周面にフック部１２と係合しない微小な凸部が形成されていてもよい。また、枠８の強度を高めるために、下側筒状部８ｂの内周面にフック部１２と係合しない程度の微小なリブ等が設けられていてもよい。
【符号の説明】
【００４９】
１    雨水ます
２    ます本体
３    立管
６    流入管
７    流出管
８    枠
８ａ  上側筒状部
８ｂ  下側筒状部
８ｄ  段差部
８ｅ  下側筒状部の下端面
９    蓋
９ａ  貫通孔
９ｆ  蓋の外周縁部
１０  ロック部材
１１  軸部
１２  フック部
２０  バケット（容器）
２１  バケット本体（容器本体）
２２  把手
【図１】
2012087566.tif 000003
【図２】
2012087566.tif 000004
【図３】
2012087566.tif 000005
【図４】
2012087566.tif 000006
【図５】
2012087566.tif 000007
【図６】
2012087566.tif 000008
【図７】
2012087566.tif 000009
【図８】
2012087566.tif 000010
【図９】
2012087566.tif 000011